(57)【要約】【課題】記録媒体、および記録媒体に記録されている画像情報が他のユーザーに取り出されてしまうのを防止できる画像再生部一体型の画像表示装置、および画像表示装置の制御方法を提供する。【解決手段】記録媒体に記録されている画像情報を読み出して表示する画像表示装置において、前記記録媒体に記録されている前記画像情報の読み出しを開始してから所定時間経過後に、入力操作部による操作を無効にする。これによって画像表示装置が記録媒体に記録されている画像情報を読み出し再生中に、第三者によって不正に操作されたり、記録媒体を取り出されたりするのを防止できる。【選択図】図５
2012128053.tif 000002
【特許請求の範囲】
【請求項１】
記録媒体に記録されている画像情報を読み出す読み出し部と、
前記読み出し部が読み出した前記画像情報に基づいて画像を表示する画像表示部と、
入力操作を受け付ける入力操作部と、
前記入力操作部が受け付けた前記入力操作に基づいて、当該画像表示装置の動作を制御する制御部と、を備え、
前記制御部は、前記読み出し部が前記記録媒体に記録されている前記画像情報の読み出しを開始してから所定時間経過後に、前記入力操作部による操作を無効にすることを特徴とする画像表示装置。
【請求項２】
請求項１に記載の画像表示装置であって、
当該画像表示装置を遠隔操作するためのリモコンから送信される操作信号を受信する受信部と、
前記読み出し部が前記記録媒体に記録されている画像情報の読み出しを開始してから所定時間経過後に、前記入力操作部による操作を無効にし、前記リモコンからの操作信号を受け付ける第１のモード、および前記読み出し部が前記記録媒体に記録されている画像情報の読み出しを開始してから所定時間経過後に、前記入力操作部による操作と前記リモコンから送信される操作信号の両方を無効にする第２のモードのいずれかを設定するモード設定部をさらに備え、
前記制御部は、前記モード設定部に設定されたモード設定情報に基づいて、移行する状態を制御することを特徴とする画像表示装置。
【請求項３】
請求項１に記載の画像表示装置であって、
前記読み出し部が前記記録媒体に記録されている画像情報を繰り返し読み出す範囲を指定する読み出し範囲指定部をさらに備え、
前記制御部は、前記読み出し部が前記読み出し範囲指定部で指定された範囲の読み出しを開始してから所定時間経過後に、前記入力操作部による操作を無効にすることを特徴とする画像表示装置。
【請求項４】
請求項１から３のいずれか一項に記載の画像表示装置であって、
当該画像表示装置の動作状態を報知する報知部をさらに備え、
前記制御部は、前記入力操作部および前記リモコンによる操作を無効にしているときに前記入力操作部に対する前記入力操作を受け付けると、前記報知部により報知することを特徴とする画像表示装置。
【請求項５】
請求項１から４のいずれか一項に記載の画像表示装置であって、
ユーザーの認証を行う認証部をさらに備え、
前記制御部は、前記読み出し部が前記記録媒体に記録されている画像情報を読み出しているときに、前記入力操作部による特定操作以外の操作を無効にし、前記特定操作を検出した場合に前記認証部によって認証を行い、当該認証が成立した場合に、前記入力操作部による全ての操作を有効にすることを特徴とする画像表示装置。
【請求項６】
請求項１から５のいずれか一項に記載の画像表示装置であって、
前記入力操作部による操作を無効にしているときに操作無効フラグをセットし、前記入力操作部による操作を有効にしているときに前記操作無効フラグをクリアするフラグ設定部をさらに備え、
前記制御部は、前記入力操作部に対する電源オン操作を受け付けたときに前記操作無効フラグがセットされていた場合、前記入力操作部に対する入力操作を無効にすることを特徴とする、画像表示装置。
【請求項７】
記録媒体に記録されている画像情報を読み出す読み出し部と、
前記読み出し部が読み出した前記画像情報に基づいて画像を表示する画像表示部と、
入力操作を受け付ける入力操作部と、
前記入力操作部が受け付けた前記入力操作に基づいて、当該画像表示装置の動作を制御する制御部と、を備えた画像表示装置の制御方法であって、
前記読み出し部が前記記録媒体に記録されている前記画像情報の読み出しを開始するステップと、
前記読み出し部が前記画像情報の読み出しを開始してから所定時間経過後に、前記制御部が前記入力操作部による操作を無効にするステップと、を有することを特徴とする画像表示装置の制御方法。
【発明の詳細な説明】
【技術分野】
【０００１】
本発明は、記録媒体に記録されている画像情報を読み出し、読み出した画像情報に基づいて画像を表示する画像表示装置、及び画像表示装置の制御方法に関する。
【背景技術】
【０００２】
画像を表示する画像表示装置（例えば、プロジェクター）において、ＤＶＤ等の記録媒体に記録されている画像情報を読み出すための読み出し部を一体的に備えたものが知られている（特許文献１）。このような画像表示装置を用いれば、外部の画像再生装置を接続する必要がなく、記録媒体に記録されている画像情報に基づく画像を容易に鑑賞することができる。
【先行技術文献】
【特許文献】
【０００３】
【特許文献１】特開２００５−９９６１７号公報
【発明の概要】
【発明が解決しようとする課題】
【０００４】
しかし、展示会のデモンストレーションなどで上記のような画像表示装置を使う場合、第三者に画像表示装置を操作されないようにあらかじめ本体操作部による操作を無効に設定しておかないと、第三者に画像表示装置を勝手に操作されてしまい、画像の再生を停止されたり、記録媒体を取り出されたりしてしまう恐れがあった。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示装置は、記録媒体に記録されている画像情報を読み出す読み出し部と、前記読み出し部が読み出した前記画像情報に基づいて画像を表示する画像表示部と、入力操作を受け付ける入力操作部と、前記入力操作部が受け付けた前記入力操作に基づいて、当該画像表示装置の動作を制御する制御部と、を備え、前記制御部は、前記読み出し部が前記記録媒体に記録されている前記画像情報の読み出しを開始してから所定時間経過後に、前記入力操作部による操作を無効にすることを特徴とする。
【０００７】
本適用例によれば、画像表示装置によって、記録媒体に記録された画像情報の読み出しを開始してから所定時間経過後に本体操作部による操作を無効にするので、展示会などのデモンストレーションにおいて、記録媒体に保存された画像情報の読み出しを開始した後に、都度操作キーによる操作を無効に設定する必要がなく、デモンストレーションの準備をすばやく行えるとともに、デモンストレーション中に第三者に操作されてしまう危険を防止することが可能となる。
【０００８】
［適用例２］上記適用例に記載の画像表示装置において、当該画像表示装置を遠隔操作するためのリモコンから送信される操作信号を受信する受信部と、前記読み出し部が前記記録媒体に記録されている画像情報の読み出しを開始してから所定時間経過後に、前記入力操作部による操作を無効にし、前記リモコンからの操作信号を受け付ける第１のモード、および前記読み出し部が前記記録媒体に記録されている画像情報の読み出しを開始してから所定時間経過後に、前記入力操作部による操作と前記リモコンから送信される操作信号の両方を無効にする第２のモードのいずれかを設定するモード設定部をさらに備え、前記制御部は、前記モード設定部に設定されたモード設定情報に基づいて、移行する状態を制御することを特徴とする。
【０００９】
本適用例によれば、画像表示装置によって、記録媒体に記録された画像情報の読み出しを開始してから所定時間経過後に本体操作部による操作を無効にし、遠隔操作を行うリモコンによる操作を無効または有効に設定できるので、展示会などのデモンストレーションにおいて、記録媒体に保存された画像情報の読み出しを開始した後に、本体側の操作部で操作されるのを防ぎながら、リモコンにより各種設定・再生操作を行うことができる。また、さらにリモコンによる操作も無効にすることで、近くで他の機材用のリモコンが操作されていた場合、このリモコンの操作信号に反応して画像表示装置が意図しない動作をしてしまうことを防ぐことが可能となる。
【００１０】
［適用例３］上記適用例に記載の画像表示装置において、前記読み出し部が前記記録媒体に記録されている画像情報を繰り返し読み出す範囲を指定する読み出し範囲指定部をさらに備え、前記制御部は、前記読み出し部が前記読み出し範囲指定部で指定された範囲の読み出しを開始してから所定時間経過後に、前記入力操作部による操作を無効にすることを特徴とする。
【００１１】
本適用例によれば、画像表示装置によって、記録媒体に記録された画像情報を繰り返し読み出す範囲を指定し、読み出しを開始してから所定時間経過後に、入力操作を無効にすることにより、デモンストレーションなどで同じ画像情報を繰り返し読み出す指定をするたびに第三者に操作されないようにキー操作を無効に設定する必要がなくなり、デモンストレーションの準備をすばやく行うことが可能となる。
【００１２】
［適用例４］上記適用例に記載の画像表示装置において、当該画像表示装置の動作状態を報知する報知部をさらに備え、前記制御部は、前記入力操作部および前記リモコンによる操作を無効にしているときに前記入力操作部に対する前記入力操作を受け付けると、前記報知部により報知することを特徴とする。
【００１３】
本適用例によれば、画像表示装置によって、記録媒体に記録された画像情報の読み出し中に入力操作を無効にしているときに入力操作を受け付けた場合、報知部によって報知されるので、操作部の故障でなく入力操作を無効にしている状態だと把握しやすくなる。
【００１４】
［適用例５］上記適用例に記載の画像表示装置において、ユーザーの認証を行う認証部をさらに備え、前記制御部は、前記読み出し部が前記記録媒体に記録されている画像情報を読み出しているときに、前記入力操作部による特定操作以外の操作を無効にし、前記特定操作を検出した場合に前記認証部によって認証を行い、当該認証が成立した場合に、前記入力操作部による全ての操作を有効にすることを特徴とする。
【００１５】
本適用例によれば、画像表示装置によって記録媒体に記録された画像情報の読み出し中に、特定操作以外の入力操作を無効にし、特定操作を受け付けたときに認証を行い、認証された場合に以後の入力操作を有効にすることにより、デモンストレーション中などに第三者によって不正に操作無効状態を解除されることを防止し、正規の使用者のみが認証によって操作することが可能となる。
【００１６】
［適用例６］上記適用例に記載の画像表示装置において、前記入力操作部による操作を無効にしているときに操作無効フラグをセットし、前記入力操作部による操作を有効にしているときに前記操作無効フラグをクリアするフラグ設定部をさらに備え、前記制御部は、前記入力操作部に対する電源オン操作を受け付けたときに前記操作無効フラグがセットされていた場合、前記入力操作部に対する入力操作を無効にすることを特徴とする。
【００１７】
本適用例によれば、画像表示装置によって、記録媒体に記録された画像情報の読み出し中に入力操作を無効にしている状態で商用電源を切断された場合でも、電源再投入時に操作無効状態を継続できるので、デモンストレーション中に停電があった場合や第三者によって不正に電源を切断された場合に、記録媒体に記録された画像情報の読み出しを行わず、操作無効状態を解除されることを防止することが可能となる。
【００１８】
［適用例７］本適用例に係る画像表示装置の制御方法は、記録媒体に記録されている画像情報を読み出す読み出し部と、前記読み出し部が読み出した前記画像情報に基づいて画像を表示する画像表示部と、入力操作を受け付ける入力操作部と、前記入力操作部が受け付けた前記入力操作に基づいて、当該画像表示装置の動作を制御する制御部と、を備えた画像表示装置の制御方法であって、前記読み出し部が前記記録媒体に記録されている前記画像情報の読み出しを開始するステップと、前記読み出し部が前記画像情報の読み出しを開始してから所定時間経過後に、前記制御部が前記入力操作部による操作を無効にするステップと、を有することを特徴とする。
【００１９】
本適用例によれば、画像表示装置の制御方法によって、読み出し部が記録媒体に記録された画像情報の読み出しを開始してから所定時間経過後に制御部が入力操作部による操作を無効にするので、展示会などのデモンストレーションにおいて、記録媒体に保存された画像情報の読み出しを開始した後に、都度操作キーによる操作を無効に設定する必要がなく、デモンストレーションの準備をすばやく行えるとともに、デモ中に第三者に操作されてしまう危険を防止することが可能となる。
【図面の簡単な説明】
【００２０】
【図１】プロジェクターの斜視図。
【図２】プロジェクターの回路構成を示すブロック図。
【図３】実施形態１のプロジェクターの動作を示すフローチャート。
【図４】変形例１のプロジェクターの動作を示すフローチャート。
【図５】変形例２のプロジェクターの動作を示すフローチャート。
【図６】変形例３のプロジェクターの動作を示すフローチャート。
【図７】変形例４のプロジェクターの動作を示すフローチャート。
【図８】変形例５のプロジェクターの動作を示すフローチャート。
【発明を実施するための形態】
【００２１】
以下、添付図面に基づいて本発明の一実施形態であるプロジェクターについて説明するが、以下の実施形態は特許請求の範囲にかかる発明を限定するものではなく、また、実施形態における特徴の組み合わせの全てが発明の解決手段に必須であるとは限らない。
【００２２】
（第１実施形態）
図１は、本実施形態のプロジェクターの斜視図である。
図１に示すように、プロジェクター１は、外装を構成する筐体２によって装置本体が覆われた構成を有している。筐体２の前面２ｆには、外部のスクリーン等に画像（画像光）を投写する投写レンズ１３が露出しており、投写レンズ１３の下側には、記録媒体であるＤＶＤメディアを挿入するためのディスクスロット３が設けられている。また、筐体２の前面２ｆには、リモートコントローラー（リモコンとも称する）２３から送信される操作信号を受信するための操作信号受信部２４が配置されている。
【００２３】
筐体２には、複数の操作キー（操作ボタン）を備えて構成される本体操作部２２が設けられており、プロジェクター１に対して各種指示を行うことが可能になっている。本体操作部２２を構成する複数の操作キーのうち、ディスクスロット３からＤＶＤメディアを排出するための操作キー（イジェクトキー）は、筐体２の前面２ｆ（ディスクスロット３の近傍）に配置されており、それ以外の操作キーは、筐体２の上面２ｔに配置されている。また、リモコン２３にも、本体操作部２２と同様、プロジェクター１に対して各種指示を行うための複数の操作キーが備えられており、プロジェクター１を遠隔操作することが可能になっている。
【００２４】
図２は、本実施形態のプロジェクターの回路構成を示すブロック図である。
図２に示すように、プロジェクター１は、画像投写部１０、制御部２０、記憶部２１、光源制御部３７、本体操作部２２、操作信号受信部２４、入力端子２５、報知部２６、入力選択部３３、ＤＶＤ再生部２７、画像処理部３４、ＯＳＤ処理部３５、電源部３６、電源端子４等で構成されており、これらは図示しない筐体２の内部に収容されている。
【００２５】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。画像投写部１０は、本発明における画像表示部に相当する。
【００２６】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２７】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等に拡大投写される。
【００２８】
上記実施形態では、光源としてランプを用いて投写するプロジェクター１を例示したが、本発明は光源としてＬＥＤ（Light emitting diode）光源やレーザー光源などを用いて投写するプロジェクターにも適用することができる。なお、上記の実施形態では、画像投写部１０は、光源１１、光変調装置としての３つの液晶ライトバルブ１２Ｒ、１２Ｇ、１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２９】
制御部２０は、ＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。また、制御部２０には、時間の計測を行うためのタイマー２０ａが備えられている。
【００３０】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。
本実施形態では設定データとして、操作無効フラグ２１ａ、及び操作モード情報２１ｂが記憶部２１に記憶される。操作無効フラグ２１ａは、本体操作部２２の操作キーによる操作が有効か無効かを示す情報であり、操作モード情報２１ｂは、本体操作部２２の操作キーによる操作が無効な状態でリモコン２３による操作を有効・無効のいずれかにするかを示す情報である。なお、以下の説明では本体操作部２２の操作キーによる操作が無効な状態を「操作無効状態」とも称する。
また制御部２０は、操作無効フラグ２１ａを設定するフラグ設定部、及び操作モード情報２１ｂを設定するモード設定部として動作する。操作モード情報２１ｂは、本発明におけるモード設定情報に相当する。記憶部２１にはまた、操作無効状態を解除するための暗証番号等が記憶されている。暗証番号はユーザーによって適宜設定可能になっており、その設定結果は記憶部２１に反映される。
【００３１】
本体操作部２２は、上述したように複数の操作キーを備えており、ユーザーからの入力操作（操作キーによる操作）を受け付ける入力操作部に相当するものである。またリモコン２３も、本体操作部２２と同様に複数の操作キーを備えており、ユーザーからの入力操作（操作キーによる操作）を受け付ける。
複数の操作キーには、上述したイジェクトキーの他に、電源のオンとオフとを切り替えるための電源キーや、ＤＶＤメディアＭの再生を開始させるための再生キー、ＤＶＤメディアＭの再生を停止させるための停止キー、画像情報の入力元（入力ソース）を切り替えるための入力切替キー等が含まれ、これらは、本体操作部２２及びリモコン２３の双方に備えられている。また、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー、暗証番号を入力するための数字キー（０〜９に対応する１０個の操作キー）等は、リモコン２３にのみ備えられている。
ユーザーが本体操作部２２の各種操作キーを操作すると、本体操作部２２は、ユーザーの操作内容（操作された操作キー）に応じた操作信号を制御部２０に出力する。また、ユーザーがリモコン２３の各種操作キーを操作すると、リモコン２３は、ユーザーの操作内容に応じた赤外線の操作信号を発し、操作信号受信部２４がこれを受信して制御部２０に伝達する。
【００３２】
入力端子２５には、パーソナルコンピューターやビデオ再生装置等、外部の画像出力装置から、各種形式の画像情報がケーブル（図示せず）を介して入力される。入力端子２５に入力された画像情報は、入力選択部３３に供給される。
【００３３】
入力選択部３３は、入力端子２５から入力される画像情報（外部入力画像情報）と、ＤＶＤ再生部２７から入力される画像情報（ＤＶＤ画像情報）のいずれか一方を、制御部２０の指示に基づいて選択し、選択した画像情報を画像処理部３４に出力する。
ユーザーが、本体操作部２２或いはリモコン２３に備わる入力切替キーを操作して所望の画像情報を指定すると、制御部２０は、指定された画像情報が画像処理部３４に出力されるよう、入力選択部３３に指示をする。つまり、入力選択部３３は、外部入力画像情報に基づく画像（外部入力画像）を投写（表示）する状態と、ＤＶＤ再生部２７によって再生されたＤＶＤ画像情報に基づく画像（ＤＶＤ画像）を投写（表示）する状態とを、ユーザーの入力操作に応じて切り替えることができる。
【００３４】
ＤＶＤ再生部２７は、記録媒体としてのＤＶＤメディアＭに記録された画像情報を読み出す読み出し部に相当するものであり、装着センサー２８、メディア搬送部２９、挿入センサー３０、データ読取部３１、及びデータ処理部３２等を含んで構成されている。
【００３５】
挿入センサー３０は、ディスクスロット３の近傍に配置され、ＤＶＤメディアＭの一部がディスクスロット３に挿入されたことを検出して制御部２０に通知する。
【００３６】
メディア搬送部２９は、ＤＶＤメディアＭを搬送するための搬送ローラー、及び搬送ローラーを回転駆動する駆動モーター（いずれも図示せず）等によって構成され、制御部２０の指示に基づいて、ＤＶＤ再生部２７内におけるＤＶＤメディアＭの搬送を行う。具体的には、ユーザーがＤＶＤメディアＭの一部をディスクスロット３に挿入し、挿入センサー３０がこの挿入を検出すると、制御部２０は、メディア搬送部２９に指示をして、ＤＶＤメディアＭを内部に引き込んでターンテーブル（図示せず）上に装着させる。また、ユーザーによりイジェクトキーが操作されると、制御部２０は、メディア搬送部２９に指示をして、ターンテーブルからＤＶＤメディアＭを離脱させ、ＤＶＤメディアＭをディスクスロット３から排出させる。
【００３７】
装着センサー２８は、ターンテーブルの近傍に配置され、ターンテーブルにＤＶＤメディアＭが装着されていることを検出して制御部２０に通知する。
【００３８】
データ読取部３１は、制御部２０の指示に基づいて、ターンテーブル上に装着されたＤＶＤメディアＭをスピンドルモーター（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取部３１によって読み取られたデータストリームは、データ処理部３２に順次出力される。
【００３９】
データ処理部３２は、デマルチプレクサーやデコーダー等で構成され、制御部２０の指示に基づいて、データ読取部３１から入力されるデータストリームを画像情報と音声情報とに分離する処理や、分離した画像情報及び音声情報をデコード（復号化）する処理等を行う。データ処理部３２は、復号化された画像情報を入力選択部３３に出力し、復号化された音声情報を図示しない音声出力手段に出力する。なお、ＤＶＤ再生部２７が、ＤＶＤメディアＭからデータストリームを読み取って、このデータストリームに基づく画像情報を出力することを、本明細書では「画像情報を再生する」又は「ＤＶＤを再生する」と表記する。
【００４０】
制御部２０は、本体操作部２２又はリモコン２３が再生キーの操作を受け付けると、ＤＶＤ再生部２７に指示をして、画像情報の再生を開始させ、本体操作部２２又はリモコン２３が停止キーの操作を受け付けると、ＤＶＤ再生部２７に指示をして、画像情報の再生を停止させる。
【００４１】
装着センサー２８、及び挿入センサー３０は、例えば、メカニカルスイッチ、光センサー、磁気センサー等の各種検出手段を用いて構成することができる。また、装着センサー２８に関しては、上記光ピックアップが受光する反射光の信号レベルによってＤＶＤメディアＭの装着の有無を検出する態様とすることも可能である。
【００４２】
画像処理部３４は、入力選択部３３から入力される画像情報を、液晶ライトバルブ１２Ｒ、１２Ｇ、１２Ｂの各画素の階調を表す画像情報、即ち各画素に印加する駆動電圧を規定するための画像情報に変換する。さらに、画像処理部３４は、制御部２０の指示に基づいて、変換した画像情報に対して、明るさ、コントラスト、シャープネス、色合い等を調整するための画質調整処理等を行う。画像処理部３４で画質調整等がなされた画像情報は、ＯＳＤ処理部３５に出力される。
【００４３】
ＯＳＤ処理部３５は、制御部２０の指示に基づいて、投写画像（外部入力画像又はＤＶＤ画像）上に、メニュー画像やメッセージ画像等のＯＳＤ（オンスクリーンディスプレイ）画像を重畳して表示するための処理を行う。ＯＳＤ処理部３５は、図示しないＯＳＤメモリーを備えており、ＯＳＤ画像を形成するための図形やフォント等を表すＯＳＤ画像情報を記憶している。
制御部２０が、ＯＳＤ画像の重畳表示を指示すると、ＯＳＤ処理部３５は、必要なＯＳＤ画像情報をＯＳＤメモリーから読み出し、投写画像上の所定の位置にＯＳＤ画像が重畳されるように、画像処理部３４から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部３５は、画像処理部３４から入力される画像情報を、そのまま液晶駆動部１４に出力する。
【００４４】
液晶駆動部１４は、ＯＳＤ処理部３５から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００４５】
電源部３６には、ＡＣ１００Ｖ等の商用電源が電源端子４を介して外部から供給される。電源部３６は、商用電源（交流電源）を所定の電圧の直流電源に変換して、プロジェクター１の各部に電力を供給する。また、電源部３６は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４６】
光源制御部３７は、制御部２０の指示に基づいて、光源１１に対する電力の供給と停止とを制御し、光源１１の点灯及び消灯を切り替える。
【００４７】
報知部２６は、ＬＥＤ（発光ダイオード）などで構成され、制御部２０の指示に基づいて、その表示状態を切り替えることにより、プロジェクター１の動作状態を報知する。具体的には本体操作部２２による操作が無効に設定されている状態で本体操作部２２の入力操作を検出した場合にＬＥＤの点滅などにより報知する。
【００４８】
本実施形態のプロジェクター１は、上記のように構成されているため、電源端子４に電源ケーブル（図示せず）が接続され、電源部３６に商用電源が供給されると、電源部３６は、少なくとも制御部２０、記憶部２１、本体操作部２２、及び操作信号受信部２４に電力（スタンバイ電力）の供給を行い、制御部２０は、この電力供給を受けて、制御プログラムに従った動作を開始する。
商用電源が供給された直後には、プロジェクター１は、スタンバイ状態（「電源オフ状態」ともいう。）であり、光源１１を消灯させた状態を維持している。そして、本体操作部２２又はリモコン２３に備わる電源キーがユーザーにより操作されると、制御部２０は、電源部３６に指示をして、各部への動作電力の供給を開始させ、プロジェクター１を電源オン状態に移行させる。
【００４９】
プロジェクター１が電源オン状態に移行すると、制御部２０は、光源制御部３７に指示をして光源１１を点灯させる。そして、ユーザーが画像出力装置とプロジェクター１（入力端子２５）を接続して、画像出力装置からの画像情報の出力を開始させると、入力端子２５に外部入力画像情報が入力される。そして、ユーザーが必要に応じて入力切替キーを操作して外部入力画像情報を指定すると、画像投写部１０から外部入力画像が投写される。
一方、ユーザーがＤＶＤメディアＭをディスクスロット３に挿入すると、ＤＶＤ再生部２７は、ＤＶＤ画像情報の再生を開始し、画像投写部１０からＤＶＤ画像が投写される。また、ＤＶＤ画像情報の再生が行われている状態で停止キーが操作されると、ＤＶＤ再生部２７は、ＤＶＤ画像情報の再生を停止する。
【００５０】
次に、本実施形態のプロジェクター１の動作を図３のフローチャートを用いて説明する。
図３に示すように、まずプロジェクター１が本体操作部２２またはリモコン２３の電源オン操作などにより起動すると（ステップＳ１０１）、制御部２０はＤＶＤ再生部２７にＤＶＤメディアＭが装着されているか確認する（ステップＳ１０２）。ＤＶＤメディアＭが装着されている場合（ステップＳ１０２：Ｙ）はステップＳ１０４に移行する。ＤＶＤメディアＭが装着されていない場合（ステップＳ１０２：Ｎ）はステップＳ１０３に移行する。
【００５１】
ステップＳ１０３において制御部２０は、ＤＶＤ再生部２７がＤＶＤメディアＭの挿入を検出しているか調べる。ＤＶＤ再生部２７がＤＶＤメディアＭの挿入を検出した場合（ステップＳ１０３：Ｙ）はステップＳ１０４に移行し、ＤＶＤメディアＭの挿入を検出していない場合（ステップＳ１０３：Ｎ）は本ステップを繰り返す。
【００５２】
ステップＳ１０４において制御部２０はＤＶＤ再生部２７に装着されているＤＶＤメディアＭに記録された画像情報の再生を開始し、ステップＳ１０５に移行する。
【００５３】
ステップＳ１０５において制御部２０はタイマー２０ａによる計時を開始し、ステップＳ１０６に移行する。
【００５４】
ステップＳ１０６において制御部２０は、本体操作部２２またはリモコン２３から操作信号を受信したか否かを調べる。換言すれば、本体操作部２２またはリモコン２３が操作されたか否かを検出する。操作信号を受信した場合（ステップＳ１０６：Ｙ）はステップＳ１０８に移行し、操作信号を受信していない場合（ステップＳ１０６：Ｎ）はステップＳ１０７に移行する。
【００５５】
ステップＳ１０７において制御部２０は、タイマー２０ａが所定時間経過したか調べる。所定時間経過していなければ（ステップＳ１０７：Ｎ）ステップＳ１０６へ移行し、所定時間経過していれば（ステップＳ１０７：Ｙ）ステップＳ１２０に移行する。
【００５６】
ステップＳ１２０において制御部２０は、本体操作部２２による操作を無効にする。換言すれば、制御部２０は、ＤＶＤ再生部２７がＤＶＤに記録されている画像情報の読み出しを開始してから所定時間経過後に、本体操作部２２による操作を無効にする。そして、ステップＳ１１０に移行する。
【００５７】
ステップＳ１０８において制御部２０は、タイマー２０ａの計時を停止し、ステップＳ１０６で受信した操作信号に対応する処理を行い（ステップＳ１０９）、ステップＳ１０５に移行する。
【００５８】
ステップＳ１１０において制御部２０は、リモコン２３から操作信号を受信したか調べる。操作信号を受信した場合（ステップＳ１１０：Ｙ）は、受信した操作信号に対応する処理を行い（ステップＳ１１１）、ステップＳ１１０に移行する。操作信号を受信していない場合は本ステップを繰り返す。
【００５９】
以上説明したように、本実施形態のプロジェクター１によれば、ＤＶＤメディアＭに記録された画像情報の再生を開始してから所定時間経過後に、本体操作部２２の入力操作を無効にする。これによって、展示会などのデモンストレーションにおいて、ＤＶＤメディアＭに記録された画像情報の再生を開始した後に、都度操作キーによる操作を無効に設定する必要がなく、デモンストレーションの準備をすばやく行えるとともに、デモンストレーション中に第三者に操作されてしまう危険を防止することが可能となる。
【００６０】
（変形例１）
また、上記実施形態は、以下のように変更してもよい。
【００６１】
上記実施形態では、ＤＶＤメディアＭに記録された画像情報の再生を開始してから所定時間経過後に本体操作部２２の入力操作を無効にしているが、このときにリモコン２３による操作を有効にするか、リモコン２３による操作も無効とするかを選択できるようにしてもよい。
【００６２】
本変形例のプロジェクター１の動作を図４のフローチャートを用いて説明する。
図４に示すように、まずプロジェクター１が本体操作部２２またはリモコン２３の電源オン操作などにより起動すると（ステップＳ２０１）、制御部２０はＤＶＤ再生部２７にＤＶＤメディアＭが装着されているか確認する（ステップＳ２０２）。ＤＶＤメディアＭが装着されている場合（ステップＳ２０２：Ｙ）はステップＳ２０４に移行する。ＤＶＤメディアＭが装着されていない場合（ステップＳ２０２：Ｎ）はステップＳ２０３に移行する。
【００６３】
ステップＳ２０３において制御部２０は、ＤＶＤ再生部２７がＤＶＤメディアＭの挿入を検出しているか調べる。ＤＶＤメディアＭの挿入を検出した場合（ステップＳ２０３：Ｙ）はステップＳ２０４に移行し、ＤＶＤメディアＭの挿入を検出していない場合（ステップＳ２０３：Ｎ）は本ステップを繰り返す。
【００６４】
ステップＳ２０４において制御部２０はＤＶＤ再生部２７に装着されているＤＶＤメディアＭに記録された画像情報の再生を開始し、ステップＳ２０５に移行する。
【００６５】
ステップＳ２０５において制御部２０はタイマー２０ａによる計時を開始し、ステップＳ２０６に移行する。
【００６６】
ステップＳ２０６において制御部２０は、本体操作部２２またはリモコン２３から操作信号を受信したか調べる。操作信号を受信した場合（ステップＳ２０６：Ｙ）はステップＳ２０８に移行し、操作信号を受信していない場合（ステップＳ２０６：Ｎ）はステップＳ２０７に移行する。
【００６７】
ステップＳ２０７において制御部２０は、タイマー２０ａが所定時間経過したか調べる。所定時間経過していなければ（ステップＳ２０７：Ｎ）ステップＳ２０６に移行し、所定時間経過していれば（ステップＳ２０７：Ｙ）ステップＳ２２０に移行し、本体操作部２２およびリモコン操作部の操作を無効にする（第１のモード）。そして、ステップＳ２１０に移行する。
【００６８】
ステップＳ２０８において制御部２０は、タイマー２０ａの計時を停止し、ステップＳ２０６で受信した操作信号に対応する処理を行い（ステップＳ２０９）、ステップＳ２０５に移行する。
【００６９】
ステップＳ２１０において制御部２０はリモコン２３から操作信号を受信したか調べる。操作信号を受信した場合（ステップＳ２１０：Ｙ）は、ステップＳ２１１に移行する。操作信号を受信していない場合（ステップＳ２１０：Ｎ）は本ステップを繰り返す。
【００７０】
ステップＳ２１１において制御部２０は記憶部２１に記憶されたモード設定情報としての操作モード情報２１ｂに基づき、リモコン２３による操作が有効かどうかを調べる。
リモコン２３による操作が有効な場合（ステップＳ２１１：Ｙ）、制御部２０は、プロジェクター１が本体操作部２２による操作を無効にし、リモコン２３からの操作信号を受け付ける第１のモードであると判断し、ステップＳ２１０で受信した操作信号に対応する処理を行い（ステップＳ２１２）、ステップＳ２１０に移行する。
リモコン２３による操作が無効な場合（ステップＳ２１１：Ｎ）、制御部２０は、リモコン２３の操作を無効とする（ステップＳ２２１）。そして、制御部２０は、プロジェクター１が本体操作部２２による操作とリモコン２３から送信される操作信号の両方を無効にする第２のモードであると判断し、ステップＳ２１０に移行する。
【００７１】
以上説明したように、本変形例のプロジェクター１によれば、ＤＶＤメディアＭに記録された画像情報の再生を開始してから所定時間経過後に、本体操作部２２の入力操作を無効にする。さらにリモコン２３による操作を有効にするか無効にするかを選択できる。これによって、デモンストレーション中に、他の機材のリモコンによる操作に反応してプロジェクター１が意図しない動作をしてしまうのを防止することが可能となる。
【００７２】
（変形例２）
上記実施形態ではＤＶＤメディアＭに記録された画像情報の再生を開始してから所定時間経過後に入力操作を無効にしているが、ＤＶＤメディアＭに記録された画像情報のうち、繰り返し再生をする範囲を指定した後、所定時間経過後に本体操作部２２による入力操作を無効にするようにしてもよい。
【００７３】
本変形例のプロジェクター１の動作を図５のフローチャートを用いて説明する。
図５に示すように、まずプロジェクター１が本体操作部２２またはリモコン２３の電源オン操作などにより起動すると（ステップＳ３０１）、制御部２０はＤＶＤ再生部２７にＤＶＤメディアＭが装着されているか確認する（ステップＳ３０２）。ＤＶＤメディアＭが装着されている場合（ステップＳ３０２：Ｙ）はステップＳ３０４に移行する。ＤＶＤメディアＭが装着されていない場合（ステップＳ３０２：Ｎ）、ステップＳ３０３に移行する。
【００７４】
ステップＳ３０３において制御部２０は、ＤＶＤ再生部２７がＤＶＤメディアＭの挿入を検出しているか調べる。ＤＶＤメディアＭの挿入を検出した場合（ステップＳ３０３：Ｙ）はステップＳ３０４に移行し、ＤＶＤメディアＭの挿入を検出していない場合（ステップＳ３０３：Ｎ）は本ステップを繰り返す。
【００７５】
ステップＳ３０４において制御部２０は、ＤＶＤ再生部２７に装着されているＤＶＤメディアＭに記録された画像情報の再生を開始し、ステップＳ３０５に移行する。
【００７６】
ステップＳ３０５において制御部２０は、本体操作部２２またはリモコン２３から操作信号を受信したか調べる。操作信号を受信した場合（ステップＳ３０５：Ｙ）はステップＳ３０６に移行し、操作信号を受信していない場合（ステップＳ３０５：Ｎ）は本ステップを繰り返す。
【００７７】
ステップＳ３０６において制御部２０は、ステップＳ３０５で受信した操作信号がＤＶＤメディアＭの繰り返し再生範囲を指定するものか調べる。繰り返し再生範囲が指定されている場合（ステップＳ３０６：Ｙ）はステップＳ３０８に移行し、繰り返し再生範囲が指定されていない場合（ステップＳ３０６：Ｎ）は、ステップＳ３０５で受信した操作信号に対応する処理を行い（ステップＳ３０７）、ステップＳ３０５に移行する。
【００７８】
ステップＳ３０８において制御部２０は、ＤＶＤ再生部２７に装着されているＤＶＤメディアＭに記録された画像情報のうち、ステップＳ３０６で指定された繰り返し再生範囲の繰り返し再生を開始し、ステップＳ３０９に移行する。
【００７９】
ステップＳ３０９において制御部２０は、タイマー２０ａによる計時を開始し、ステップＳ３１０に移行する。
【００８０】
ステップＳ３１０において制御部２０は、本体操作部２２またはリモコン２３から操作信号を受信したか調べる。操作信号を受信した場合（ステップＳ３１０：Ｙ）はステップＳ３１２に移行し、操作信号を受信していない場合（ステップＳ３１０：Ｎ）はステップＳ３１１に移行する。
【００８１】
ステップＳ３１１において制御部２０は、タイマー２０ａが所定時間経過したか調べる。所定時間経過していなければ（ステップＳ３１１：Ｎ）ステップＳ３１０へ移行し、所定時間経過していれば（ステップＳ３１１：Ｙ）、ステップＳ３２０に移行し、本体操作部２２による操作を無効にする。そして、ステップＳ３１４に移行する。
【００８２】
ステップＳ３１２において制御部２０は、タイマー２０ａの計時を停止し、ステップＳ３１０で受信した操作信号に対応する処理を行い（ステップＳ３１３）、ステップＳ３０９に移行する。
【００８３】
ステップＳ３１４において制御部２０は、リモコン２３から操作信号を受信したか調べる。操作信号を受信した場合（ステップＳ３１４：Ｙ）は、受信した操作信号に対応する処理を行い（ステップＳ３１５）、ステップＳ３１４に移行する。操作信号を受信していない場合（ステップＳ３１４：Ｎ）は本ステップを繰り返す。
【００８４】
以上説明したように、本変形例のプロジェクター１によればＤＶＤメディアＭに記録された画像情報のうち、繰り返し再生する範囲を指定し、再生を開始してから所定時間経過後に、入力操作を無効にすることにより、デモンストレーションなどで同じ画像情報を繰り返し再生する指定をするたびに、第三者に操作されないようにキー操作を無効に設定する必要がなくなり、デモンストレーションの準備をすばやく行うことが可能となる。
【００８５】
（変形例３）
上記実施形態および変形例ではＤＶＤメディアＭに記録された画像情報の再生を開始してから所定時間経過後に本体操作部２２の入力操作を無効にしているが、入力操作が無効の状態で本体操作部２２またはリモコン２３による操作を受信した場合、報知部２６のＬＥＤ（発光ダイオード）などによって報知するようにしてもよい。
【００８６】
本変形例のプロジェクター１の動作を図６のフローチャートを用いて説明する。
図６に示すように、まずプロジェクター１が本体操作部２２またはリモコン２３の電源オン操作などにより起動すると（ステップＳ４０１）、制御部２０はＤＶＤ再生部２７にＤＶＤメディアＭが装着されているか確認する（ステップＳ４０２）。ＤＶＤメディアＭが装着されている場合（ステップＳ４０２：Ｙ）はステップＳ４０４に移行する。ＤＶＤメディアＭが装着されていない場合（ステップＳ４０２：Ｎ）、ステップＳ４０３に移行する。
【００８７】
ステップＳ４０３において制御部２０は、ＤＶＤ再生部２７がＤＶＤメディアＭの挿入を検出しているか調べる。ＤＶＤメディアＭの挿入を検出した場合（ステップＳ４０３：Ｙ）はステップＳ４０４に移行し、ＤＶＤメディアＭの挿入を検出していない場合（ステップＳ４０３：Ｎ）は本ステップを繰り返す。
【００８８】
ステップＳ４０４において制御部２０は、ＤＶＤ再生部２７に装着されているＤＶＤメディアＭに記録された画像情報の再生を開始し、ステップＳ４０５に移行する。
【００８９】
ステップＳ４０５において制御部２０は、タイマー２０ａによる計時を開始し、ステップＳ４０６に移行する。
【００９０】
ステップＳ４０６において制御部２０は、本体操作部２２またはリモコン２３から操作信号を受信したか調べる。操作信号を受信した場合（ステップＳ４０６：Ｙ）はステップＳ４０８に移行し、操作信号を受信していない場合（ステップＳ４０６：Ｎ）はステップＳ４０７に移行する。
【００９１】
ステップＳ４０７において制御部２０は、タイマー２０ａが所定時間経過したか調べる。所定時間経過していなければ（ステップＳ４０７：Ｎ）ステップＳ４０６に移行し、所定時間経過していれば（ステップＳ４０７：Ｙ）、ステップＳ４２０に移行し、本体操作部２２による操作を無効にする。そして、ステップＳ４１０に移行する。
【００９２】
ステップＳ４０８において制御部２０は、タイマー２０ａの計時を停止し、ステップＳ４０６で受信した操作信号に対応する処理を行い（ステップＳ４０９）、ステップＳ４０５に移行する。
【００９３】
ステップＳ４１０において制御部２０は、本体操作部２２から操作信号を受信したか調べる。操作信号を受信した場合（ステップＳ４１０：Ｙ）は、報知部２６により操作禁止であることを報知し（ステップＳ４１１）、ステップＳ４１０に移行する。操作信号を受信していない場合（ステップＳ４１０：Ｎ）はステップＳ４１２に移行する。
【００９４】
ステップＳ４１２において制御部２０は、リモコン２３から操作信号を受信したか調べる。操作信号を受信した場合（ステップＳ４１２：Ｙ）は、ステップＳ４１３に移行する。操作信号を受信していない場合（ステップＳ４１２：Ｎ）はステップＳ４１０に移行する。
【００９５】
ステップＳ４１３において制御部２０は、記憶部２１に記憶された操作モード情報２１ｂに基づき、リモコン２３による操作が有効かどうかを調べる。
リモコン２３による操作が有効な場合（ステップＳ４１３：Ｙ）は、制御部２０はプロジェクター１が本体操作部２２による操作を無効にし（フロー図示は省略する）、リモコン２３からの操作信号を受け付ける第１のモードであると判断し、ステップＳ４１２で受信した操作信号に対応する処理を行い（ステップＳ４１４）、ステップＳ４１０に移行する。
リモコン２３による操作が無効な場合（ステップＳ４１３：Ｎ）は、制御部２０はプロジェクター１が本体操作部２２による操作とリモコン２３から送信される操作信号の両方を無効にする第２のモードであると判断し、報知部２６により操作禁止であることを報知し（ステップＳ４１５）、ステップＳ４１０に移行する。
【００９６】
以上説明したように、本変形例のプロジェクター１によれば、ＤＶＤメディアＭに記録された画像情報の再生中に入力操作を無効にしているときに入力操作を受け付けた場合、報知部２６によって報知されるので、本体操作部２２またはリモコン２３の故障ではなく入力操作を無効にしている状態だと把握しやすくなる。
【００９７】
（変形例４）
上記実施形態および変形例において、本体操作部２２またはリモコン２３に対する特定操作のみ受け付け、特定操作を検出した場合に暗証番号などの認証画面を表示し、認証された場合に入力操作を再度有効に設定するようにしてもよい。この場合の特定操作とは、例えばメニューキーの長押し、メニューキーと選択キーの同時押し、など通常の操作と異なる操作があげられる。
【００９８】
本変形例のプロジェクター１の動作を図７のフローチャートを用いて説明する。
図７に示すように、まずプロジェクター１が本体操作部２２またはリモコン２３の電源オン操作などにより起動すると（ステップＳ５０１）、制御部２０はＤＶＤ再生部２７にＤＶＤメディアＭが装着されているか確認する（ステップＳ５０２）。ＤＶＤメディアＭが装着されている場合（ステップＳ５０２：Ｙ）はステップＳ５０４に移行する。ＤＶＤメディアＭが装着されていない場合（ステップＳ５０２：Ｎ）、ステップＳ５０３に移行する。
【００９９】
ステップＳ５０３において制御部２０は、ＤＶＤ再生部２７がＤＶＤメディアＭの挿入を検出しているか調べる。ＤＶＤメディアＭの挿入を検出した場合（ステップＳ５０３：Ｙ）はステップＳ５０４に移行し、ＤＶＤメディアＭの挿入を検出していない場合（ステップＳ５０３：Ｎ）は本ステップを繰り返す。
【０１００】
ステップＳ５０４において制御部２０は、ＤＶＤ再生部２７に装着されているＤＶＤメディアＭに記録された画像情報の再生を開始し、ステップＳ５０５に移行する。
【０１０１】
ステップＳ５０５において制御部２０は、タイマー２０ａによる計時を開始し、ステップＳ５０６に移行する。
【０１０２】
ステップＳ５０６において制御部２０は、本体操作部２２またはリモコン２３から操作信号を受信したか調べる。操作信号を受信した場合（ステップＳ５０６：Ｙ）はステップＳ５０８に移行し、操作信号を受信していない場合（ステップＳ５０６：Ｎ）はステップＳ５０７に移行する。
【０１０３】
ステップＳ５０７において制御部２０は、タイマー２０ａが所定時間経過したか調べる。所定時間経過していなければ（ステップＳ５０７：Ｎ）ステップＳ５０６に移行し、所定時間経過していれば（ステップＳ５０７：Ｙ）ステップＳ５１０に移行する。
【０１０４】
ステップＳ５０８において制御部２０は、タイマー２０ａの計時を停止し、ステップＳ５０６で受信した操作信号に対応する処理を行い（ステップＳ５０９）、ステップＳ５０５に移行する。
【０１０５】
ステップＳ５１０において制御部２０は、操作無効フラグ２１ａをセットし、ステップＳ５１１に移行する。操作無効フラグ２１ａがセットされた場合、プロジェクター１は本体操作部２２による特定操作以外の操作が無効になる。換言すれば制御部２０は、ＤＶＤ再生部２７がＤＶＤメディアＭに記録されている画像情報を読み出しているときに、本体操作部２２部による特定操作以外の操作を無効にする。
【０１０６】
ステップＳ５１１において制御部２０は、本体操作部２２またはリモコン２３から操作信号を受信したか調べる。操作信号を受信した場合（ステップＳ５１１：Ｙ）は、ステップＳ５１２に移行する。操作信号を受信していない場合（ステップＳ５１１：Ｎ）は本ステップを繰り返す。
【０１０７】
ステップＳ５１２において制御部２０は、操作無効フラグ２１ａがセットされているか調べる。操作無効フラグ２１ａがセットされている場合は（ステップＳ５１２：Ｙ）ステップＳ５１４に移行し、操作無効フラグ２１ａがセットされていない場合（ステップＳ５１２：Ｎ）は、ステップＳ５１１で受信した操作信号に対応する処理を行い（ステップＳ５１３）、ステップＳ５１１に移行する。
【０１０８】
ステップＳ５１４において制御部２０は、ステップＳ５１１で受信した操作信号が特定操作か調べる。特定操作の場合は（ステップＳ５１４：Ｙ）、ステップＳ５１５に移行する。特定操作でない場合は（ステップＳ５１４：Ｎ）、ステップＳ５１１に移行する。
【０１０９】
ステップＳ５１５において制御部２０は、ＯＳＤ処理部３５によって認証画面を表示させ、暗証番号入力による認証を行う。
【０１１０】
次に制御部２０は認証が正しいかどうか調べ（ステップＳ５１６）、認証が正しかった（認証が成立した）場合は（ステップＳ５１６：Ｙ）、操作無効フラグ２１ａをクリアして入力操作を有効に設定し（ステップＳ５１７）、ステップＳ５１１に移行する。操作無効フラグ２１ａがクリアされることで、本体操作部２２による全ての操作が有効になる。
認証が正しくなかった（認証が不成立）場合は（ステップＳ５１６：Ｎ）、ＯＳＤ処理部３５によって所定時間、警告表示を行い（ステップＳ５１８）、ステップＳ５１１に移行する。
【０１１１】
以上説明したように、本変形例のプロジェクター１によれば、ＤＶＤメディアＭに記録された画像情報の再生中に特定操作以外の入力操作を無効にし、特定操作を受け付けたときに認証を行い、認証された場合に以後の入力操作を有効にすることにより、デモンストレーション中などに第三者によって不正に操作無効状態を解除されることを防止し、正規の使用者のみが認証によって操作することが可能となる。
【０１１２】
（変形例５）
上記実施形態および変形例において、操作無効フラグ２１ａを電源オフ時に保存し、起動時に入力操作が無効だった場合、ＤＶＤメディアＭに記録された画像情報の再生を行うことなく、操作無効状態を継続するようにしてもよい。
【０１１３】
本変形例のプロジェクター１の動作を図８のフローチャートを用いて説明する。
図８に示すように、まずプロジェクター１が本体操作部２２またはリモコン２３の電源オン操作などにより起動すると（ステップＳ６０１）、ステップＳ６０２に移行する。
【０１１４】
ステップＳ６０２において制御部２０は、操作無効フラグ２１ａがセットされているか調べる。操作無効フラグ２１ａがセットされている場合（ステップＳ６０２：Ｙ）はステップＳ６１２に移行し、操作無効フラグ２１ａがセットされていない場合（ステップＳ６０２：Ｎ）はステップＳ６０３に移行する。
【０１１５】
ステップＳ６０３において制御部２０は、ＤＶＤ再生部２７にＤＶＤメディアＭが装着されているか確認する。ＤＶＤメディアＭが装着されている場合（ステップＳ６０３：Ｙ）はステップＳ６０５に移行する。ＤＶＤメディアＭが装着されていない場合（ステップＳ６０３：Ｎ）、ステップＳ６０４に移行する。
【０１１６】
ステップＳ６０４において制御部２０は、ＤＶＤ再生部２７がＤＶＤメディアＭの挿入を検出しているか調べる。ＤＶＤメディアＭの挿入を検出した場合（ステップＳ６０４：Ｙ）はステップＳ６０５に移行し、ＤＶＤメディアＭの挿入を検出していない場合（ステップＳ６０４：Ｎ）は本ステップを繰り返す。
【０１１７】
ステップＳ６０５において制御部２０は、ＤＶＤ再生部２７に装着されているＤＶＤメディアＭに記録された画像情報の再生を開始し、ステップＳ６０６に移行する。
【０１１８】
ステップＳ６０６において制御部２０は、タイマー２０ａによる計時を開始し、ステップＳ６０７に移行する。
【０１１９】
ステップＳ６０７において制御部２０は、本体操作部２２またはリモコン２３から操作信号を受信したか調べる。操作信号を受信した場合（ステップＳ６０７：Ｙ）はステップＳ６０９に移行し、操作信号を受信していない場合（ステップＳ６０７：Ｎ）はステップＳ６０８に移行する。
【０１２０】
ステップＳ６０８において制御部２０は、タイマー２０ａが所定時間経過したか調べる。所定時間経過していなければ（ステップＳ６０８：Ｎ）ステップＳ６０７に移行し、所定時間経過していれば（ステップＳ６０８：Ｙ）ステップＳ６１１に移行する。
【０１２１】
ステップＳ６０９において制御部２０は、タイマー２０ａの計時を停止し、ステップＳ６０７で受信した操作信号に対応する処理を行い（ステップＳ６１０）、ステップＳ６０６に移行する。
【０１２２】
ステップＳ６１１において制御部２０は、記憶部２１の操作無効フラグ２１ａをセットし、ステップＳ６１２に移行する。
【０１２３】
ステップＳ６１２において制御部２０は、本体操作部２２またはリモコン２３から操作信号を受信したか調べる。操作信号を受信した場合（ステップＳ６１２：Ｙ）は、ステップＳ６１３に移行する。操作信号を受信していない場合（ステップＳ６１２：Ｎ）は本ステップを繰り返す。
【０１２４】
ステップＳ６１３において制御部２０は、操作無効フラグ２１ａがセットされているか調べる。操作無効フラグ２１ａがセットされている場合（ステップＳ６１３：Ｙ）はステップＳ６１５に移行し、操作無効フラグ２１ａがセットされていない場合（ステップＳ６１３：Ｎ）は、ステップＳ６１２で受信した操作信号に対応する処理を行い（ステップＳ６１４）、ステップＳ６１２に移行する。
【０１２５】
ステップＳ６１５において制御部２０は、ステップＳ６１２で受信した操作信号が特定操作か調べる。特定操作の場合（ステップＳ６１５：Ｙ）は、ステップＳ６１６に移行する。特定操作でない場合（ステップＳ６１５：Ｎ）は、ステップＳ６１２に移行する。
【０１２６】
ステップＳ６１６において制御部２０は、ＯＳＤ処理部３５によって認証画面を表示させ、暗証番号入力を行う。
【０１２７】
次に制御部２０は認証が正しいかどうか調べ（ステップＳ６１７）、認証が正しかった場合（ステップＳ６１７：Ｙ）は、操作無効フラグ２１ａをクリアして入力操作を有効に設定し（ステップＳ６１８）、ステップＳ６１２に移行する。
認証が正しくなかった場合（ステップＳ６１７：Ｎ）は、ＯＳＤ処理部３５によって所定時間、警告表示を行い（ステップＳ６１９）、ステップＳ６１２に移行する。
【０１２８】
以上説明したように、本変形例のプロジェクター１によれば、電源オフ時に操作無効フラグ２１ａが保存されるので、入力操作を無効にしている状態で商用電源を切断された場合でも、電源再投入時に操作無効状態を継続できる。よって、デモンストレーション中に停電があった場合や、第三者によって不正に電源を切断された場合に、ＤＶＤメディアＭに記録された画像情報の再生を行わず、操作無効状態を解除されることを防止することが可能となる。
【符号の説明】
【０１２９】
１…プロジェクター、２…筐体、３…ディスクスロット、４…電源端子、１０…画像投写部、１１…光源、１２Ｒ，１２Ｇ，１２Ｂ…液晶ライトバルブ、１３…投写レンズ、１４…液晶駆動部、２０…制御部、２１…記憶部、２２…本体操作部、２３…リモコン、２４…操作信号受信部、２５…入力端子、２６…報知部、２７…ＤＶＤ再生部、２８…装着センサー、２９…メディア搬送部、３０…挿入センサー、３１…データ読取部、３２…データ処理部、３３…入力選択部、３４…画像処理部、３５…ＯＳＤ処理部、３７…光源制御部。
【図１】
2012128053.tif 000003
【図２】
2012128053.tif 000004
【図３】
2012128053.tif 000005
【図４】
2012128053.tif 000006
【図５】
2012128053.tif 000007
【図６】
2012128053.tif 000008
【図７】
2012128053.tif 000009
【図８】
2012128053.tif 000010